(57)【要約】【課題】着用することで、足首回りへのテーピング機能を発生させる。【解決手段】ヒール部前側の足首甲部の左右両側から、ヒール部を挟む上下両側のレッグ側部と足底側部に、側面視でＹ形状に分岐させると共に環状に連続させて、添え糸としたテーピング機能発生用の添え糸編部を設けている。前記足首甲部はパール編とし、レッグ側部と足底側部はゴム編としている。【選択図】図１
2007262636.tif 000002
【特許請求の範囲】
【請求項１】
ヒール部前側の足首甲部の左右両側から、ヒール部を挟む上下両側のレッグ側部と足底側部に、側面視でＹ形状に分岐させると共に環状に連続させて、テーピング機能発生用の添え糸編部を設けていることを特徴とする靴下。
【請求項２】
前記添え糸編部の足首甲部はパール編とすると共に、前記レッグ側部および足底側部はゴム編とし、添え糸としてポリエステル糸またはナイロン糸あるいはＦＴＹ糸を用いている請求項１に記載の靴下。
【請求項３】
前記パール編部の足首甲部は横柄、前記ゴム編部のレッグ側部および足底側部は縦柄とし、かつ、非伸長状態で足首甲部は４ｃｍ以上６ｃｍ以下の範囲、レッグ側部は２ｃｍ以上４ｃｍ以下の範囲、足底側部は３ｃｍ以上５ｃｍ以下としている請求項１または請求項２に記載の靴下。
【請求項４】
前記ヒール部の上縁と前記添え編部のレッグ側部の境界線は、ゴアラインに対して５０°〜６５°の範囲で傾斜させたハイヒール形状とし、かつ、
前記ヒール部は地糸に補強糸を添えた平編で編成している請求項１乃至請求項３のいずれか１項に記載の靴下。
【請求項５】
足底部にメッシュ編部を設けると共に、該メッシュ編部の土踏まず部分は弾性糸を挿入して編成している請求項１乃至請求項４のいずれか１項に記載の靴下。
【請求項６】
リング・トウ部に隣接する足の指の根元領域にも、テーピング機能発生用の添え糸編部を設けている請求項１乃至請求項５のいずれか１項に記載の靴下。
【発明の詳細な説明】
【技術分野】
【０００１】
本発明は、靴下に関し、詳しくは、足首の屈伸動作を容易にすると共に、足首にテーピングを施しているような安定感やフィット感を持たせた靴下に関するものである。
【背景技術】
【０００２】
人間の足は、靴下着用中、レッグ部（足首より上方）に対し足部（足首より下方）がおおよそ直角に曲がっていることが多いのに対し、靴下のレッグ部と足部のなす角度は１３０°〜１６０°程度であるため、足首の前側部分にしわがよりやすく着用感が悪いという問題がある。
【０００３】
そこで、実開昭４９−１３７７２４号公報（特許文献１）には、足首の前側部分に、パール編部分を設けた靴下が提案されている。即ち、図２に示すように、前記靴下１には、足首の前側部分に、ゴアライン２の延長線を中心に前後適宜コースのパール編部分３が設けられており、前記パール編部分３を足首の前側部分に設けることにより、編地の伸縮性を高め、しわの発生防止に効果があるとされている。
【０００４】
一方、近年、多くの人がウォーキングやさまざまなスポーツを楽しむようになる一方で、足首の関節を傷めるケースも少なくなく、このような傷害を防止するためには、足首に適度な圧力をかけ、足首の関節の動きを適正にコントロールして関節の保護や補強をするテーピングが有効である。よって、靴下についても、足首にテーピングを施しているような、安定感やフィット感を持たせた靴下が求められるようになっている。
しかし、特許文献１に記載の靴下では、足首前側部の伸縮性は高められるものの、足首前側部を適度に圧迫するというものではないため、前記要求を満たすことはできない。
【０００５】
【特許文献１】実開昭４９−１３７７２４号公報
【発明の開示】
【発明が解決しようとする課題】
【０００６】
本発明は前記問題に鑑みてなされたものであり、足首の屈伸動作を容易にする共に、足首にテーピングを施しているような安定感やフィット感を持たせた靴下を提供することを課題としている。
【課題を解決するための手段】
【０００７】
前記課題を解決するため、本発明は、ヒール部前側の足首甲部の左右両側から、ヒール部を挟む上下両側のレッグ側部と足底側部に、側面視でＹ形状に分岐させると共に環状に連続させて、テーピング機能発生用の添え糸編部を設けていることを特徴とする靴下を提供している。
【０００８】
前記のように、添え糸を添えて編成した添え糸編部を、足首甲側から分岐してレッグ側と足底側に環状に連続して設けていることで、足首にテーピングを巻き付けたのと同様の機能を持たせることができ、足首の安定感、フィット感を靴下に付与できる。特に、足首甲部の左右両側をヒール部を挟む上下に分岐してレッグ側部と足底側部とに巻き付けた状態としているため、このテーピング機能発生部を足首甲部に位置ずれすることなく保持でき、テーピング性能を高めることができる。このように、本発明の靴下を着用することにより、足首回りに別材からなるテーピングを施す必要はなく、機能性に優れたものとなる。
【０００９】
前記添え糸編部の足首甲部はパール編とすると共に、前記レッグ側部および足底側部はゴム編みとすることが好ましい。
このように、足首甲側（前側部）はパール編とすると、パール編の特徴である編地縦方向の伸縮性を維持しているため、足首の屈伸動作に追従させることが出来ると共にしわの発生も防止できる。
また、前記レッグ部側および足底側ではゴム編みとすると足首の屈伸動作により柔軟に追従させることができる。
【００１０】
さらに、足の指の根元部分にも、前記と同様な添え糸編部を設けてテーピング機能発生部とすると、足の指の付け根部分をテーピングしたようなフィット感を持たせることができる。
【００１１】
前記添え糸編部で用いる糸としては、ポリエステル糸、ナイロン糸、ＦＴＹ糸等が好適に用いられる。
ＦＴＹ糸としては、ポリウレタン糸とポリエステル糸、ナイロン糸との合撚糸を用いることが特に好ましい。
このように、ポリエステル糸やナイロン糸、ＦＴＹ糸を添え糸として用いて補強することにより、テーピング機能を高めることができる。
一方、前記地糸としては特に限定されないが、添え糸と同種の糸、あるいは異なる糸を適宜組み合わせて用いることが特に好ましい。
【００１２】
また、前記足首甲側のパール編部では横柄、ヒール部の前後のレッグ部側および足底側は縦柄とすることが好ましい。
前記のように足首甲側を横柄、ヒール部の前後を縦柄とすることで、接触する部位の形状に添わせやすくなり、フィット感を高めることができる。
前記足首甲側のパール編みでは、裏目２コース、表目２コースの交互編みの横柄で、前記表目は半周度調としてパール部（長側）は粗く編みたてられたものとすることが好ましい。
【００１３】
また、テーピング機能発生用の添え糸編部の領域は、非伸長状態でヒール部の甲側は４ｃｍ以上６ｃｍ以下の範囲、ヒール部のレッグ部側は２ｃｍ以上４ｃｍ以下の範囲、足底側は３ｃｍ以上５ｃｍ以下としていることが好ましい。
これらの領域内で靴下のサイズに応じて設定することで、足首回りのテーピング機能を適切に発生させることができる。
【００１４】
ヒール部の上縁とレッグ側部との境界線は、前記レッグ部とフット部の境界点とかかと先端とを結ぶゴアラインに対して５０°〜６５°の範囲で傾斜させたハイヒール形状とし、かつ、ヒール部の上端縁と下端縁との成す角度が９５°〜１１０°とすることが好ましい。
従来の靴下では、通常、ヒール部の下端縁と上端縁とのなす角度はおよそ９０°で、ヒール部の上端縁のレッグ側境界線はゴアラインに対して５０°未満とされている。
これに対して、本発明の靴下ではヒール部の上端縁と下端縁との成す角度が９５°〜１１０°で、ヒール部上端縁がゴアラインに対して５０°以上とし、従来よりハイヒール形状とすることで、踵がすっぽりおさまるようにすることができ、ヒール部のずれを防止して着用感を高めることができる。
また、該ヒール部は地糸に補強糸を添えた平編で編成していることが好ましい。
【００１５】
さらに、本発明の靴下では、足底部にメッシュ編部を設けると共に、該メッシュ編部の土踏まず部分は弾性糸を挿入して編成していることが好ましい。
前記のように、足底部にメッシュ編部を設けると、足底部の通気性がよくなり、足ムレを防止することができる。
さらに、前記メッシュ編部の土踏まず部分に弾性糸を挿入して編成すると、伸縮性を高めて土踏まずにぴったりフィットさせることができ、心地よい着用感が得られる。
【００１６】
前記添え糸編部の上端から口ゴム部の間のレッグ部、前記添え編部の足首甲部からトウ側に連続する足甲部を弾性糸が挿入された一口柄のゴム編部としていることが好ましい。
前記ゴム編部は編地の横方向に高い伸縮性があるため、前記した領域に弾性糸を横糸として挿入したゴム編部を設けると、横方向の伸縮性をさらに高め、足全体にぴったりフィットさせて、ずれを防止することができる。
一方、強い力がかかるヒール部、トウ部は、補強糸を添えて強度を高めることが好ましい。
【発明の効果】
【００１７】
前述したように、本発明によれば、ヒール部を囲む足首甲側、レッグ側部、足底側部に環状に連続する添え糸編み部を設け、足首回りにテーピング機能発生部を設けているため、適度な圧力を足首に付与でき、安定感、フィット感を靴下に持たせることができる。
特に、添え糸編部とした足首甲部ではパール編としているため、パール編の特徴である編地縦方向の高い伸縮性を維持しているため、足首の屈伸動作を容易にすると共にしわを発生させず、外観も良くすることができる。
さらに、足の指の根元部分には添え糸編部を設けてテーピング機能を持たせると、足の指の根元部分にもフィット感をもたせることができる。
【発明を実施するための最良の形態】
【００１８】
以下、本発明の実施形態を図面を参照して説明する。
図１は、本実施形態における靴下１０を示す。
靴下１０は、フット部１１とレッグ部１２、ヒール部１３からなり、前記フット部１１は足甲部１４、足底部１５、リング・トウ部１６、トウ部１７からなり、レッグ部１２側の上端に口ゴム部１９を設けている。
【００１９】
ヒール部１３を囲むように、ヒール部１３の前側の足首甲部１８と、ヒール部１３を上下に挟むレッグ側部１２ｂ、足底側部１５ａは、テーピング機能を発生させるために、添え糸編部としている。
前記足首甲部１８はフット部１１とレッグ部１２との境界であるゴアラインＬ１を挟んで、フット部１１側とレッグ部１２との跨がる領域にあり、この足首甲部１８の両側端縁が分岐して前記レッグ側部１２ｂに環状に連続する部分と、前記足底側部１５ａに環状に連続する部分を設け、添え糸編部を側面視でＹ形状に分岐させている。
【００２０】
前記添え糸編部とした足首甲部１８は、地糸に添え糸を添えて編成した２×２のパール編みとしている。詳細には、裏目２コース、表目２コースの交互編みの横柄で、裏目パール部（長側）のウエール数（総針数の半分）×２コース、表目パール部（長側）のウエール数（総針数の半分）×２コースの編組織として粗く編みたたて横柄としている。本実施形態においては、パール編部とした足首甲部１８は、ゴアラインＬ１（図１の破線部）を中心に、レッグ側とフット側に夫々非伸長状態で２．５ｃｍの範囲（合計５ｃｍ）の範囲で設けている。
【００２１】
前記添え糸編部としたヒール部上部のレッグ側部１２ｂおよび足底側部１５ａは、地糸に添え糸を添えて編成した２×１のゴム編として、前記パール編部と直交方向の縦柄としている。本実施形態においては、前記レッグ側部１２ｂの縦長さは本実施形態では非伸長状態で３ｃｍとして、足底側部１５ａの長さは非伸縮状態で３．５ｃｍとしている。
【００２２】
前記添え糸編部からなる足首甲部１８、レッグ側部１２ｂ、足底側部１５ａにおいては、地糸、添え糸ともに３０／７５ＦＴＹ糸［丸一産業（株）製、商品名：マルロン］、即ち、１１デシテックスのポリウレタン糸に８３デシテックスのポリエステル糸をカバー糸として合撚した糸を用いて、添え糸編部にパワーを持たせ、テーピング機能発生部としている。
【００２３】
また、足の指の根元側で、リング・トウ部１６に接する足甲前部１４ｂおよび足底前部１５ｂも添え糸を添えた添え糸編部として、足の指の根元部を環状に取り巻くテーピング機能発生部としている。この添え糸編部の幅は約３ｃｍとしている。
前記足甲前部１４ｂは２×２のパール編とする一方、足底前部１５ｂはゴム編とし、添え糸として前記足首回りのテーピング機能発生部と同様の糸を用い添え糸編としている。
【００２４】
前記足首側および足の指の根元側の添え糸編部からなるテーピング機能発生部以外の領域は、下記の編成としている。
足首甲部１８およびヒール側のレッグ側部１２ｂを除く部分１２ａは、口ゴム部１９まで連続するゴム編としている。このゴム編は、弾性糸を挿入した２×１のゴム編で編成している。
【００２５】
また、前記レッグ側部１２ｂとの境界線であるヒール部１３の上端縁１３ａと、ゴアラインＬ１との成す角度θ１を５５°、ヒール部の上端縁１３ａと下端縁１３ｂとの成す角度θ２を１００°として前記ヒール部の上端縁１３ａの位置を従来の靴下より高く編成してハイヒール構造としている。ヒール部１３は前記添え糸を用いた添え糸編による１×１の平編としている。
【００２６】
足甲部１４では、添え糸編部としたテーピング機能発生用の足首甲部１８と足甲前部１４ｂに挟まれた中央部分１４ａは、２×１のゴム編で編成しており、足首甲部１８に隣接した中央部分１４ａ１は、前記１２ａと同じ弾性糸を挿入して編成し、足甲前部１４ｂに隣接した中央部分１４ａ２は前記添え糸を用いた添え糸編により編成している。
【００２７】
足底部１５では、添え糸編部としてテーピング機能発生用としたヒール側の足底側部１５ａとトウ側の足底前部１５ｂの間の足底中央部１５ｃはメッシュ編部としている。このメッシュ編は、１×１のメッシュ編で編成し、メッシュ編部のうち、ヒール側の足底側部１５ａに隣接した土踏まず部分１５ｃ１は、前記１２ａと同じ弾性糸を挿入して編成している一方、トウ側の足底前部１５ｂに隣接する部分１５ｃ２は、前記添え糸を用いた添え糸編により編成している。
リング・トウ部１６およびトウ部１７は、ヒール部１３と同様に、前記添え糸を用いた添え糸編による１×１の平編としている。
【００２８】
前記構成からなる本発明の靴下では、ヒール部１３を囲むように連続する足首甲部１８、レッグ側部１２ｂ、足底側部１５ａを、地糸に添え糸を添えて編成した添え糸編部として、足首に巻き付けられるテーピングと同様な機能を発生させている。よって、靴下を着用するだけで、足首に適度な圧力を付与して、テーピングを施したような安定感、フィット感を靴下に持たせることができる。
特に、足首甲部１８はパール編部としているため、編地縦方向の高い伸縮性を維持し、足首の屈伸動作を容易にすると共に、足首甲部に適度な圧力を付与することができる。
【００２９】
また、足の指の付け根部分をカバーできる位置も、パール編した足甲前部１４ｂとゴム編した足底前部１５ｂとにより、足の指の付け根部分にテーピングを施したような安定感、フィット感を持たせることができる。
さらに、前記のように、伸縮性に富むＦＴＹ糸を添え糸として用いて補強することにより、さらにフィット感のある靴下を得ることができる。
【００３０】
また、前記のように、レッグ部１２との境界線であるヒール部１３の上端縁１３ａと、ゴアラインＬ１との成す角度θ１を５５°としてヒール部１３の上端縁１３ａの位置を従来の靴下より高く編成することにより、踵がすっぽりおさまり、ヒール部１３のずれを防止して着用感を高めることができる。
【００３１】
また、足底部１５の中央部１５ｃにメッシュ編部を設けることにより、足底の通気性がよくなり、足ムレを防止することができる。
さらに、メッシュ編した部分のうちで土踏まず部では、弾性糸を挿入して編成しているため、横方向の伸縮性をさらに高めることができ、土踏まずにぴったりフィットさせることができ、心地よい着用感が得られる。
【００３２】
さらに、前記のように、足首甲部１８から口ゴム部１９に連続するレッグ部１２ａおよび足甲部の中央部分はゴム編としているため、横方向の伸縮性をさらに高め、足全体にぴったりフィットさせて、ずれを防止することができる。
【００３３】
なお、本発明の靴下は、前記図１に示す実施形態に限定されず、例えば、足の指の根元部分にはテーピング機能発生部を設けない構成として、足首回りだけテーピング機能を付与してもよい。
【図面の簡単な説明】
【００３４】
【図１】本発明の靴下の概略図である。
【図２】従来例を示す図である。
【符号の説明】
【００３５】
１０  靴下
１１  フット部
１２  レッグ部
１２ｂ  添え糸編部からなるレッグ側部
１３  ヒール部
１３ａ  ヒール部上端縁
１３ｂ  ヒール部下端縁
１４  足甲部
１４ｂ  添え糸編部からなる足甲前部
１５  足底部
１５ａ  添え糸編部からなる足底側部
１５ｂ  添え糸編部からなる足底前部
１５ｃ  メッシュ編した足底中央部
１６  リング・トウ部
１７  トウ部
１８  添え糸編部からなる足首甲部
Ｌ１  ゴアライン
【図１】
2007262636.tif 000003
【図２】
2007262636.tif 000004